(57)【要約】【課題】腕帯の装着状況の検出時の作動音等を軽減する。【解決手段】血圧計では、測定終了時にカフ内の空気を完全に排気せず所定量残した状態で排気弁を閉塞して次の測定開始を待機する（Ｓ１１１，Ｓ１１３，Ｓ１１５）。次の測定開始のタイミングになると、カフ加圧のための動作をすることなく、その時点のカフの内圧が所定圧力以上でない場合には腕帯が装着されていないと判定され（Ｓ１０３，Ｓ１１７）、その後の測定動作（Ｓ１０７〜Ｓ１１５）がスキップされる。【選択図】図２
2011152307.tif 000002
【特許請求の範囲】
【請求項１】
空気袋を内包した、測定部位に対して装着可能なベルトと、
前記空気袋の内圧を検出するためのセンサと、
前記センサに接続される演算装置とを備え、
前記空気袋には、前記演算装置において前記血圧測定の開始が検出された時点において所定量の空気が注入されており、
前記演算装置は、少なくとも前記血圧測定の開始が検出された時点において前記空気袋の内圧に基づいて前記ベルトの前記測定部位への装着状況を判定する、電子血圧計。
【請求項２】
前記演算装置において血圧測定の開始が検出された時点から測定動作が開始されるまでの間に前記空気袋に空気を注入する動作が行なわれることなく、前記空気袋には前記演算装置において前記血圧測定の開始が検出された時点において所定量の空気が注入されている、請求項１に記載の電子血圧計。
【請求項３】
前記測定動作を制御するための制御手段をさらに備え、
前記制御手段は、
前記演算装置において前記血圧測定の開始が検出された時点において前記ベルトが前記測定部位に装着されていると判定されると測定動作を行なうよう制御し、
前記演算装置において前記血圧測定の開始が検出された時点において前記ベルトが前記測定部位に装着されていないと判定されると測定動作を行なわないよう制御する、請求項１または２に記載の電子血圧計。
【請求項４】
前記演算手段は、前記制御手段によって前記測定動作が開始された後の前記空気袋の内圧に基づいて血圧値を算出する、請求項３に記載の電子血圧計。
【請求項５】
前記制御手段によって制御される、前記空気袋の内圧を調整するための調整手段をさらに備え、
前記制御手段は、前記測定動作においては前記空気袋の内圧を規定圧力まで加圧させた後に前記空気袋の内圧が前記所定量の空気に応じた内圧となるまで減圧させ、前記調整手段に前記所定量の空気に応じた内圧を保持させて前記測定動作を終了する、請求項４に記載の電子血圧計。
【請求項６】
前記演算装置は、さらに、前記測定動作の終了後所定時間経過した時点において前記空気袋の内圧に基づいて前記ベルトの前記測定部位への装着状況を判定し、
前記制御手段は、前記演算装置において前記測定動作の終了後所定時間経過した時点において前記ベルトが前記測定部位に装着されていると判定されると、前記空気袋内の空気を排気させる、請求項４または５に記載の電子血圧計。
【請求項７】
前記ベルトには、前記空気袋とは異なる血圧測定用の空気袋が内包され、
前記演算手段は、前記制御手段によって前記測定動作が開始された後の前記血圧測定用の空気袋の内圧に基づいて血圧値を算出する、請求項３に記載の電子血圧計。
【請求項８】
前記演算装置は、さらに、前記測定動作の終了後所定時間経過した時点において前記空気袋の内圧に基づいて前記ベルトの前記測定部位への装着状況を判定し、
前記演算装置において前記測定動作の終了後所定時間経過した時点において前記ベルトが前記測定部位に装着されていると判定されるとその旨を報知するための報知手段をさらに備える、請求項１〜７のいずれかに記載の電子血圧計。
【請求項９】
空気袋を内包し、測定部位に対して装着可能なベルトを備えた電子血圧計の制御方法であって、
前記電子血圧計における血圧測定の開始が検出されると、前記空気袋の内圧を予め規定されたしきい値と比較することで、前記ベルトの前記測定部位への装着状況を判定するステップと、
前記判定するステップにおいて前記空気袋の内圧が前記しきい値より大なる場合に前記ベルトが前記測定部位へ装着されていると判定して測定動作を実行させ、前記空気袋の内圧が前記しきい値以下である場合に前記ベルトが前記測定部位へ装着されていないと判定して前記測定動作を実行させないように前記電子血圧計を制御するステップとを備える、電子血圧計の制御方法。
【発明の詳細な説明】
【技術分野】
【０００１】
この発明は電子血圧計およびその制御方法に関し、特に、カフを用いて血圧を測定する電子血圧計およびその制御方法に関する。
【背景技術】
【０００２】
カフ（空気袋）を利用した電子血圧計では、測定部位である人体の上腕等にカフを内包した腕帯を巻き付けて空気袋に空気を送り込んで加圧し、空気圧変化や音響をセンサで検出することによって血圧を測定する。
【０００３】
電子血圧計の中には、腕帯が測定部位に装着されているかどうかを自動的に検知する機能を搭載したものがある。たとえば特開平６−２３７９０６号公報（特許文献１）は、その検知方法として、一旦空気袋に空気を送り込んで加圧し、圧力の上昇速度が一定速度より速いと測定部位に装着されていると判断し、遅いと装着されていないと判断する方法を開示している。
【先行技術文献】
【特許文献】
【０００４】
【特許文献１】特開平６−２３７９０６号公報
【発明の概要】
【発明が解決しようとする課題】
【０００５】
しかしながら、特許文献１に開示された従来の方法にあっては、検知のために一旦空気を送り込んで空気袋を加圧する。つまり、検知のために、実際に空気袋が膨らみ、また空気を送り込むための電動ポンプが稼動する。そのため、検知の際には作動音や振動が伴う。
【０００６】
たとえば、一定時間間隔や指定時刻に自動で測定を行なう設定がなされている場合であって、測定時に腕帯が外れていたり、測定を行なわないため血圧計を収納していたりする場合には測定動作が行なわれないにも関わらず、文献１に開示された方法では測定前に腕帯の装着状況を検知するために一旦空気を送り込む動作が行なわれる。そのために、実際には測定動作が行なわれないときでも検知のために作動音や振動が発生してしまうことになる、という問題がある。特に、就寝中に自動で測定を行なう設定がなされている場合であって、測定しない状況（腕帯が外れている、意図的に腕帯を装着していない等）である場合には不要な音や振動が就寝中に発生することになり、被測定者の負担が増大する、という問題がある。
【０００７】
本発明はこのような問題に鑑みてなされたものであって、使い勝手のよい電子血圧計およびその制御方法を提供することを目的としている。
【課題を解決するための手段】
【０００８】
上記目的を達成するために、本発明のある局面に従うと、電子血圧計は、空気袋を内包した、測定部位に対して装着可能なベルトと、空気袋の内圧を検出するためのセンサと、センサに接続される演算装置とを備える。空気袋には、演算装置において血圧測定の開始が検出された時点において所定量の空気が注入されており、演算装置は、少なくとも血圧測定の開始が検出された時点において空気袋の内圧に基づいてベルトの測定部位への装着状況を判定する。
【０００９】
好ましくは、演算装置において血圧測定の開始が検出された時点から測定動作が開始されるまでの間に空気袋に空気を注入する動作が行なわれることなく、空気袋には演算装置において血圧測定の開始が検出された時点において所定量の空気が注入されている。
【００１０】
好ましくは、電子血圧計は測定動作を制御するための制御手段をさらに備える。制御手段は、演算装置において血圧測定の開始が検出された時点においてベルトが測定部位に装着されていると判定されると測定動作を行なうよう制御し、演算装置において血圧測定の開始が検出された時点においてベルトが測定部位に装着されていないと判定されると測定動作を行なわないよう制御する。
【００１１】
好ましくは、演算手段は、制御手段によって測定動作が開始された後の空気袋の内圧に基づいて血圧値を算出する。
【００１２】
より好ましくは、電子血圧計は、制御手段によって制御される空気袋の内圧を調整するための調整手段をさらに備える。制御手段は、測定動作においては空気袋の内圧を規定圧力まで加圧させた後に空気袋の内圧が所定量の空気に応じた内圧となるまで減圧させ、調整手段に所定量の空気に応じた内圧を保持させて前記測定動作を終了する。
【００１３】
好ましくは、演算装置は、さらに、測定動作の終了後所定時間経過した時点において空気袋の内圧に基づいてベルトの測定部位への装着状況を判定し、制御手段は、演算装置において測定動作の終了後所定時間経過した時点においてベルトが測定部位に装着されていると判定されると、空気袋内の空気を排気させる。
【００１４】
または、好ましくは、ベルトには、空気袋とは異なる血圧測定用の空気袋が内包され、演算手段は、制御手段によって測定動作が開始された後の血圧測定用の空気袋の内圧に基づいて血圧値を算出する。
【００１５】
好ましくは、演算装置は、さらに、測定動作の終了後所定時間経過した時点において空気袋の内圧に基づいてベルトの測定部位への装着状況を判定する。電子血圧計は、演算装置において測定動作の終了後所定時間経過した時点においてベルトが測定部位に装着されていると判定されるとその旨を報知するための報知手段をさらに備える。
【００１６】
本発明の他の局面に従うと、電子血圧計の制御方法は、空気袋を内包し、測定部位に対して装着可能なベルトを備えた電子血圧計の制御方法であって、電子血圧計における血圧測定の開始が検出されると、空気袋の内圧を予め規定されたしきい値と比較することで、ベルトの測定部位への装着状況を判定するステップと、判定するステップにおいて空気袋の内圧がしきい値より大なる場合にベルトが測定部位へ装着されていると判定して測定動作を実行させ、空気袋の内圧がしきい値以下である場合にベルトが測定部位へ装着されていないと判定して測定動作を実行させないように電子血圧計を制御するステップとを備える。
【発明の効果】
【００１７】
この発明によると、作動音や振動を発生させることなく測定部位に腕帯が装着されているか否かを検出することができ、被測定者の負担を軽減させることができる。
【図面の簡単な説明】
【００１８】
【図１】第１の実施の形態にかかる血圧計の構成の具体例を示す図である。
【図２】第１の実施の形態にかかる血圧計での動作を示すフローチャートである。
【図３】第２の実施の形態にかかる血圧計の構成の具体例を示す図である。
【図４】第２の実施の形態にかかる血圧計での動作を示すフローチャートである。
【図５】第１の実施の形態にかかる血圧計での動作の変形例を示すフローチャートである。
【発明を実施するための形態】
【００１９】
以下に、図面を参照しつつ、本発明の実施の形態について説明する。以下の説明では、同一の部品および構成要素には同一の符号を付してある。それらの名称および機能も同じである。
【００２０】
［第１の実施の形態］
図１を参照して、第１の実施の形態にかかる電子血圧計（以下、血圧計と略する）１Ａは、空気袋であるカフ５Ａと本体部２とを含み、これらがエアチューブ１０Ａで接続されている。本体部２の正面には表示部４と操作部３とが配される。操作部３は、電源のＯＮ／ＯＦＦ、測定動作の開始／停止などの操作に用いられるためのスイッチ３１と、被測定者を選択する操作に用いられるためのスイッチ３２とを含む。
【００２１】
血圧計１Ａを用いて血圧を測定する際、カフ５Ａを内包した測定用のベルト（不図示）を測定部位である上腕等に巻き回して装着する（測定部位が上腕であるとして、以降、測定用のベルトを腕帯と称する）。腕帯が測定部位に装着されることで、カフ５Ａは皮膚や皮下脂肪を間に挟んで被測定者の動脈直上である測定部位に押し付けられる。この状態でスイッチ３１を押下されることにより、血圧計１Ａで後述する測定動作が開始されて、血圧が測定される。または、カフ５Ａを内包した腕帯を所定時間（たとえば２４時間等）測定部位に装着したままとしておき、予め設定したタイミング（たとえば所定時間間隔、起床時、等）に自動的に後述する測定動作が行なわれて血圧が測定されてもよい。
【００２２】
さらに図１を参照して、血圧計１Ａの本体部２には、カフ５Ａとエアチューブ１０Ａで接続される圧力センサ２３Ａ、ポンプ２１、および排気弁２２が含まれる。圧力センサ２３Ａは発振回路２４Ａに接続される。ポンプ２１は駆動回路２６に接続され、排気弁２２は駆動回路２７に接続される。
【００２３】
発振回路２４Ａ、駆動回路２６、および駆動回路２７は、血圧計１Ａ全体を制御するためのＣＰＵ（Central  Processing  Unit）４０に接続される。ＣＰＵ４０には、さらに、表示部４と、操作部３と、処理用のメモリ６と、記録用のメモリ７とが接続される。
【００２４】
処理用のメモリ６は、ＣＰＵ４０で実行される制御プログラムなどを記憶する。さらに、処理用のメモリ６は、ＣＰＵ４０がプログラムを実行する際の作業領域ともなる。
【００２５】
ＣＰＵ４０は、操作部３から入力される操作信号に基づいてメモリ６に記憶されている所定のプログラムを実行し、駆動回路２６および駆動回路２７に制御信号を出力する。駆動回路２６および駆動回路２７は、制御信号に従ってポンプ２１および排気弁２２を駆動させる。ポンプ２１は、ＣＰＵ４０からの制御信号に従った駆動回路２６によって駆動が制御されて、カフ５Ａ内に空気を注入する。排気弁２２は、ＣＰＵ４０からの制御信号に従った駆動回路２７によってその開閉が制御されて、カフ５Ａ内の空気を排出する。
【００２６】
圧力センサ２３Ａは静電容量形の圧力センサであり、カフ５Ａの内圧変化により容量値が変化する。発振回路２４Ａは、圧力センサ２３Ａの容量値に応じた発振周波数の信号をＣＰＵ４０に入力する。ＣＰＵ４０は、圧力センサ２３Ａから得られたカフ５Ａの内圧変化に基づいて所定の処理を実行し、その結果に応じて駆動回路２６および駆動回路２７に上記制御信号を出力する。また、ＣＰＵ４０は、圧力センサ２３Ａから得られたカフ５Ａの内圧変化に基づいて血圧値を算出し、測定結果を表示部４に表示させるための処理を行ない、表示させるためのデータと制御信号とを表示部４に出力する。また、ＣＰＵ４０は、血圧値をメモリ７に記憶させるための処理を行なう。
【００２７】
血圧計１Ａにおける測定では、測定動作の開始時にすでにカフ５Ａに所定量の空気が注入されており、その状態のカフ５Ａの内圧変化に基づいてカフ５Ａが測定部位である上腕等に装着されているか否かが判定された上で血圧測定が行なわれる。
【００２８】
そこで、ＣＰＵ４０は判定部４１を含み、測定開始のタイミングから所定時間、駆動回路２６および駆動回路２７を駆動させずに圧力センサ２３Ａからの入力を受付け、判定部４１において、カフ５Ａの内圧ＰＡと予め記憶している一定圧力Ｐ１とを比較することでカフ５Ａが測定部位に装着されているか否かを判定する。一定圧力Ｐ１は、上記所定量の空気が注入されている状態のカフ５Ａが測定部位に装着されたときのカフ５Ａの内圧の最低値と想定される値として予め記憶されており、たとえば５mmHg程度が用いられる。判定部４１は、ＣＰＵ４０が操作部３からの操作信号に従ってメモリ６に記憶される上記制御プログラムを読み出して実行することで、主にＣＰＵ４０に形成される機能であるが、少なくともこれら機能のうちの一部が、図１に示されたハードウェア構成で形成されてもよい。圧力センサ２３Ａで測定されるカフ５Ａの内圧ＰＡが一定圧力Ｐ１よりも大きい場合に判定部４１はカフ５Ａが測定部位に装着されている判定し、そうでない場合にカフ５Ａが装着されていないと判定する。ＣＰＵ４０は、判定部４１での判定結果に応じて駆動回路２６および駆動回路２７に制御信号を出力する。
【００２９】
図２を用いて血圧計１Ａの動作を説明する。図２のフローチャートに示される動作は、スイッチ３１が押下されてＣＰＵ４０に図示されない電源から電力が供給され、処理用のメモリ６に記憶される制御プログラムを読み出して図１に示される各部を制御することによって実現される。
【００３０】
図２を参照して、動作が開始すると、ＣＰＵ４０において血圧測定のタイミングに達したか否かが判断される。血圧測定のタイミングは、たとえば、スイッチ３１が押下されて測定の開始を指示する操作信号が入力されたことによって判断されてもよいし、所定時間ごとに自動で測定する設定がなされているときには図示しないタイマからの信号に基づいてＣＰＵ４０において測定のタイミングが判断されてもよい。
【００３１】
血圧測定のタイミングに達したと判断されると（ステップＳ１０１でＹＥＳ）ＣＰＵ４０はそのときから所定時間、駆動回路２６および駆動回路２７を駆動させずに圧力センサ２３Ａからの入力を受付け、判定部４１においてカフ５Ａが測定部位に装着されているか否かを判定する。ここでは、圧力センサ２３Ａから得られるカフ５Ａの内圧ＰＡと予め記憶している一定圧力Ｐ１（たとえば５mmHg）とを比較する。その結果、カフ５Ａの内圧ＰＡが一定圧力Ｐ１よりも大なる場合（ステップＳ１０３でＹＥＳ）、ステップＳ１０５で判定部４１はカフ５Ａが測定部位に装着されているとする判定結果を返す。そうでない場合には、ステップＳ１１７で判定部４１はカフ５Ａが測定部位に装着されていないとする判定結果を返す。
【００３２】
ステップＳ１０５でカフ５Ａが測定部位に装着されているとの判定結果が返された場合、ＣＰＵ４０は以降、ステップＳ１０７〜Ｓ１１１で通常の測定動作を行なわせる。すなわち、ステップＳ１０７でＣＰＵ４０は駆動回路２６に制御信号を出力してポンプ２１を駆動させ、排気弁２２を閉塞したままでカフ５Ａに空気を注入させて、加圧する。また、ステップＳ１０９でＣＰＵ４０は、カフ５Ａの内圧が所定圧力に達すると駆動回路２６に制御信号を出力してポンプ２１の動作を停止させ、駆動回路２７に制御信号を出力して排気弁２２を所定量開放させてカフ５Ａの内圧を減圧する。ＣＰＵ４０は、これらの過程において圧力センサ２３Ａからの入力を受け付けて、カフ５Ａの内圧変化に基づいて血圧値を算出する。
【００３３】
以上の動作により最低血圧値および最高血圧値が算出されると、ステップＳ１１１でＣＰＵ４０は駆動回路２７に制御信号を出力して排気弁２２を開放させてカフ５Ａ内の空気を急速排気する。ＣＰＵ４０は、この過程において圧力センサ２３Ａからの入力を受け付けて、判定部４１においてカフ５Ａ内の空気の量が、次の検出のために残しておく上記一定量に達しているか否かを判定する。ここでは、圧力センサ２３Ａから得られるカフ５Ａの内圧ＰＡと予め記憶している上記一定量に対応する一定圧力Ｐ２とを比較する。一定圧力Ｐ２としては、好ましくは、たとえば８mmHg程度が用いられる。その結果、カフ５Ａの内圧ＰＡが一定圧力Ｐ２まで減圧された場合（ステップＳ１１３でＹＥＳ）、ステップＳ１１５でＣＰＵ４０は駆動回路２７に制御信号を出力して排気弁２２を閉塞させ、一連の動作を終了する。この後ＣＰＵ４０は、次に測定開始のタイミングとなるまで待機する。
【００３４】
一方、ステップＳ１１７でカフ５Ａが測定部位に装着されていないとの判定結果が返された場合、ＣＰＵ４０はステップＳ１０７〜Ｓ１１１の測定動作を行なわせることなく一連の動作を終了し、次に測定開始のタイミングとなるまで待機する。なお、この場合、表示部４に腕帯が装着されていない旨を表示したり、図示しないスピーカを備える場合には音声でその旨を出力したりして、判定結果を報知してもよい。
【００３５】
血圧計１Ａにおいて図２の動作が行なわれることで、測定動作完了時に完全にカフ５Ａから排気されず所定量の空気を残した状態で動作が終了する。これにより、次回の測定開始のタイミングとなってから測定動作を開始するまでの間にカフ５Ａに空気を注入することなくカフ５Ａの内圧に基づいて測定部位への装着状況を判定することが可能となる。すなわち、測定開始時の装着状況の判定の段階ではポンプ２１の作動音や振動を発生させることがない。このため、被測定者の負担を軽減させることができる。特に、就寝時に自動で測定を行なう設定がなされている場合であって、腕帯が測定部位から外れて測定できない場合や、測定しないことを意図して腕帯が測定部位に装着されていない場合においては、就寝中に腕帯の装着状況を検出するための作動音や振動が発生することを防止でき、被測定者の負担の軽減に好適である。
【００３６】
また、この構成では実際に装着されることによって影響を受けるカフの内圧に基づいて測定部位への装着の有無が検知されるので、たとえば接触を検知するセンサ等を用いる場合よりも、より精度よく測定部位への装着を検知することが可能となる。
【００３７】
なお、上の例では、血圧計１Ａにおいては測定後の急速排気において一定圧力Ｐ２に達すると弁を閉塞し、カフ５Ａ内に所定量の空気を保持させて次の測定タイミングとなるのを待機するものとしている。しかしながら、血圧計１Ａでは測定開始時点においてカフ５Ａに所定量の空気を注入するための動作がなされずに測定開始時点においてカフ５Ａ内に上記所定量の空気がすでに注入されておれば、カフ５Ａ内に上記所定量の空気を注入するタイミングは限定されない。
【００３８】
すなわち、先の測定後にカフ５Ａ内に所定量の空気を残す動作に替えて、予め設定した、測定開始時点とは異なるタイミングで上記所定量の空気を注入してもよい。たとえば、就寝中に自動測定する設定である場合に、測定時間帯である就寝中とは異なる時間帯（たとえば昼間時間帯）等に予め上記所定量の空気をカフ５Ａ内に注入しておいてもよい。このように構成することでも、測定開始時の装着状況の判定の段階ではポンプ２１の作動音や振動を発生させることがない。
【００３９】
またたとえば、先の測定後にカフ５Ａ内に所定量の空気を残す動作を行なうとして、その後、所定のタイミングでカフ５Ａの内圧が所定圧よりも低くなっていることが検出されると、その際にカフ５Ａ内の空気が上記所定量となるよう注入してもよい。このように構成することで、先の測定から次の測定までの間にカフ５Ａ内の空気が漏れたとしても、上記所定のタイミングで次の測定よりも以前に補充されることになり、測定開始時の装着状況の判定の段階ではポンプ２１の作動音や振動を発生させることがない。
【００４０】
［第２の実施の形態］
図３を参照して、第２の実施の形態にかかる血圧計１Ｂは、図１に示された構成に加えて、本体部２にエアチューブ１０Ｂで接続されるカフ５Ｂをさらに含む。カフ５Ｂはカフ５Ａと共に腕帯に内包され、腕帯が測定部位に装着されることで、カフ５Ｂはカフ５Ａと共に測定部位に押し付けられる。
【００４１】
血圧計１Ｂの本体部２には、さらに、カフ５Ｂとエアチューブ１０Ｂで接続される圧力センサ２３Ｂが含まれる。圧力センサ２３Ｂは、圧力センサ２３Ａと同様に静電容量形の圧力センサであり、カフ５Ａの内圧変化により容量値が変化する。または、後述するように圧力センサ２３Ｂは、カフ５Ｂの内圧がしきい値よりも大きいか否かを検出するために用いられるセンサであるため、上記しきい値とカフ５Ｂの内圧との比較できる程度の精度を備えていればよく、必ずしも圧力センサ２３Ａと同程度の精度を備えている必要はない。圧力センサ２３Ｂは発振回路２４Ｂに接続され、発振回路２４ＢはＣＰＵ４０に接続される。発振回路２４Ｂは、圧力センサ２３Ｂの容量値に応じた発振周波数の信号、またはしきい値との大小関係を表わす信号をＣＰＵ４０に入力する。
【００４２】
血圧計１Ｂにおける測定では、ＣＰＵ４０は判定部４１において、測定開始のタイミングから所定時間、駆動回路２６および駆動回路２７を駆動させずに圧力センサ２３Ｂからの入力を受付け、カフ５Ｂの内圧ＰＢと予め記憶している一定圧力Ｐとを比較することでカフ５Ｂを内包する腕帯、すなわち測定用のカフ５Ａが測定部位に装着されているか否かが判定される。つまり、カフ５Ａが血圧測定用のカフであるのに対し、カフ５Ｂは、カフ５Ａの装着を検知するためのカフと言える。
【００４３】
図４を用いて血圧計１Ｂの動作を説明する。図４のフローチャートに示される動作もまた、スイッチ３１が押下されてＣＰＵ４０に図示されない電源から電力が供給され、処理用のメモリ６に記憶される制御プログラムを読み出して図３に示される各部を制御することによって実現される。
【００４４】
図２に示された血圧計１Ａの動作では、判定部４１において測定開始のタイミングの後圧力センサ２３Ａからの入力を受付け、カフ５Ａの内圧ＰＡと予め記憶している一定圧力Ｐ１とを比較することでカフ５Ａが測定部位に装着されているか否かが判定されているが（ステップＳ１０３）、図４を参照して、血圧計１Ｂの動作では圧力センサ２３Ｂからの入力を受付け、カフ５Ｂの内圧ＰＢと予め記憶している一定圧力Ｐとが比較される。その結果、カフ５Ｂの内圧ＰＢが一定圧力Ｐよりも大なる場合（ステップＳ１０３’でＹＥＳ）、ステップＳ１０５で判定部４１はカフ５Ａが測定部位に装着されているとする判定結果を返す。そうでない場合には、ステップＳ１１７で判定部４１はカフ５Ａが測定部位に装着されていないとする判定結果を返す。
【００４５】
以降、血圧計１Ｂでも血圧計１Ａと同様に測定動作が行なわれるが、測定が終了すると、血圧計１Ｂでは、ＣＰＵ４０は駆動回路２７に制御信号を出力して排気弁２２を開放させてカフ５Ａ内に空気を残さずに急速排気する。すなわち、図２のステップＳ１１３，Ｓ１１５の動作を行なうことなく、カフ５Ａを完全に排気して一連の動作を終了する。この後ＣＰＵ４０は、次に測定開始のタイミングとなるまで待機する。
【００４６】
血圧計１Ｂが図３のように、測定用の空気袋であるカフ５Ａの他に、予め所定量の空気が封入されている装着状況を検知するための空気袋であるカフ５Ｂを別途備えることで、測定動作の開始時にカフ５Ｂに空気を注入することなくカフ５Ｂの内圧に基づいて測定部位への腕帯の装着状況を判定することが可能となる。すなわち、図３の構成とすることでも測定開始時の装着状況の判定の段階でポンプの作動音や振動を発生させることがなく、被測定者の負担を軽減させることができる。
【００４７】
［変形例１］
第１の実施の形態および第２の実施の形態においては、いずれも、測定開始時に装着状況を検知するものとしているが、測定開始時に加えてその他のタイミングでも装着状況が検出されてもよい。その他のタイミングの一例として、たとえば、測定の終了から所定時間経過後が挙げられる。このタイミングに装着状況を検出するための動作を行なうことで、自動測定が設定されている場合であって予定していた測定が完了した後や、自動測定でなくスイッチ３１が押下されると測定動作が開始する場合であって操作した測定が終了したした後に腕帯が測定部位に装着されたままとなっていることを検出することができる。
【００４８】
すなわち、図５を参照して、第１の実施の形態にかかる血圧計１Ａの測定動作の変形例としては、上記ステップＳ１１５で排気弁２２を閉塞させた後から所定時間、ＣＰＵ４０は圧力センサ２３Ａからの入力を受付け、判定部４１においてカフ５Ａの内圧ＰＡがカフ５Ａが測定部位に装着されているとするときの一定圧力Ｐ１よりも大きいままであるか否かが判定される。これにより、測定終了後もカフ５Ａが測定部位に装着したままであることが検出される。
【００４９】
そして、排気弁２２を閉塞させた後から所定時間カフ５Ａの内圧ＰＡが一定圧力Ｐ１よりも大きいままであった場合（ステップＳ２０１でＹＥＳ）、すなわち、測定終了後もカフ５Ａが測定部位に装着したままであると検出された場合、ステップＳ２０３でＣＰＵ４０は駆動回路２７に制御信号を出力して排気弁２２を開放させてカフ５Ａ内の空気を排気する。
【００５０】
これにより、測定終了後所定時間カフ５Ａが測定部位に装着したままであると検出されると自動的に測定部位へのカフ５Ａの圧迫が弱められる。そのため、被測定者の負担を軽減させることができる。
【００５１】
なお、ステップＳ２０３では上述の自動的な排気に替えて、ＣＰＵ４０は表示部４に腕帯の取り外しを促す表示をさせるための処理や、図示しないスピーカから音声出力するための処理や、図示しない振動機構を振動させて報知するための処理などを行なってもよい。このようにすることによって腕帯の取り外しが促され、被測定者の負担を軽減させることができる。
【００５２】
第２の実施の形態にかかる血圧計１Ｂの測定動作の変形例としては、上記ステップＳ１１１で排気弁２２を開放させてカフ５Ａ内の空気を急速排気した後から所定時間、ＣＰＵ４０は圧力センサ２３Ｂからの入力を受付け、判定部４１においてカフ５Ｂの内圧ＰＢが腕帯が測定部位に装着されているとするときの一定圧力Ｐよりも大きいままであるか否かが判定される。これにより、測定終了後も腕帯が測定部位に装着したままであることが検出される。そして、カフ５Ａ内の空気を急速排気した後から所定時間カフ５Ｂの内圧ＰＢが一定圧力Ｐよりも大きいままであった場合、ＣＰＵ４０は表示部４に腕帯の取り外しを促す表示等をさせるための処理を行なう。このようにすることによって腕帯の取り外しが促され、被測定者の負担を軽減させることができる。
【００５３】
［変形例２］
測定開始時に加えて腕帯の測定部位への装着状況を検知するタイミングの他の例として、たとえば、予め設定された時刻が挙げられる。たとえば自動測定で測定が開始されるよりも以前の時刻を設定しておくことで、自動測定を開始する前段階で腕帯が測定部位に装着されていることを検知することができる。具体例としては、就寝中に自動的に血圧測定が行なわれる場合や、意識のない被測定者に対して自動的に測定が行なわれる場合が挙げられる。この場合、就寝前のある時刻や測定時間帯よりも前のある時刻を予め設定しておくことでその時点での腕帯の装着を確認することができ、装着されていない場合にその旨を報知することで、装着忘れを防止することができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１Ａ，１Ｂ  血圧計、２  本体部、３  操作部、４  表示部、５Ａ，５Ｂ  カフ、６，７  メモリ、１０Ａ，１０Ｂ  エアチューブ、２１  ポンプ、２２  排気弁、２３Ａ，２３Ｂ  圧力センサ、２４Ａ，２４Ｂ  発振回路、２６，２７  駆動回路、３１，３２  スイッチ、４０  ＣＰＵ、４１  判定部。
【図１】
2011152307.tif 000003
【図２】
2011152307.tif 000004
【図３】
2011152307.tif 000005
【図４】
2011152307.tif 000006
【図５】
2011152307.tif 000007